(57)【要約】【目的】乳児のチャイルドシートへの装着また離脱に際し、乳児への負担と共に親への負担を軽減することができ、さらには、乳児の飛び出しを阻止する力を胴体の特定部分に集中させることがないチャイルドシートを提供することを目的とする。【解決手段】チャイルドシート１を車輌のシート１１上に載置でき且つ車輌のシートベルト１２／１３と係着可能なバケット２と、バケット２内に収容でき且つ乳児５を適宜に拘束可能な子守帯３とから構成して、乳児５を車輌へ乗車させる際は、乳児５を子守帯３に装着してその子守帯３とバケット２とを係着する。また、子守帯３を乳児５の後頭部と胴体背部を支持可能な背当体３２と、背当体３２に取り付けられて、少なくとも乳児５の胴体前部を保持可能な帯体３３とから構成する。【選択図】　図１
2004082764.tif 000002
【特許請求の範囲】
【請求項１】
車輌のシート上に載置でき且つ車輌のシートベルトと係着可能なバケットと、バケット内に収容でき且つ乳児を適宜に拘束可能な子守帯とからなるチャイルドシートであって、そのバケットおよび子守帯には、互いに人的操作で着脱可能な係着手段が設けられていることを特徴とするチャイルドシート
【請求項２】
前記子守帯が、少なくとも乳児の後頭部と胴体背部を支持可能な背当体と、背当体に取り付けられて、少なくとも乳児の胴体前部を保持可能な帯体とからなることを特徴とする請求項１のチャイルドシート
【請求項３】
前記背当体の内部に子守帯の背負いまたは吊下げベルトが収納可能になっていることを特徴とする請求項２のチャイルドシート
【請求項４】
前記背当体が、その短手方向の両側に設けられている支柱によって支持されていることを特徴とする請求項２のチャイルドシート
【請求項５】
前記背当体が可塑性素材から形成された板体であることを特徴とする請求項２のチャイルドシート
【請求項６】
前記背当体の少なくとも乳児に接する部位が布等の柔軟性素材から形成されていることを特徴とする請求項２のチャイルドシート
【請求項７】
前記帯体が少なくとも前身頃を有する着衣型のものであることを特徴とする請求項２のチャイルドシート
【請求項８】
前記背当体および／または帯体に乳児の頭部の移動を阻止するヘッドガードが設けられていることを特徴とする請求項２のチャイルドシート
【請求項９】
前記バケットおよび／または前記子守帯に位置決め用の案内手段が設けられていることを特徴とする請求項１のチャイルドシート
【請求項１０】
前記案内手段が、バケットに設けた孔または溝と、子守帯の身体方向の下方に設けた突起または突条とからなるものであることを特徴とする請求項９のチャイルドシート
【発明の詳細な説明】
【０００１】
【産業上の利用分野】
本発明は、車輌のシートベルトに係着して使用することにより、乗車中の乳児を衝突事故等の衝撃から保護するためのチャイルドシートに関するものである。
【０００２】
【従来技術と問題点】
現在、車輌に乗車する６歳以下の子供は、バケット型やシート型のチャイルドシートあるいは着衣型の保持装置によって乗車中の安全が確保されている。
その中で、誕生から１年前後の乳児は、ほぼ寝た状態でバケット型のチャイルドシートに収容され、そのチャイルドシートに設けられている保持用のベルトによって所定の位置に固定される。
その乳児は車輌の前進方向に対し後向きにセットされることが多く、その固定は、チャイルドシートに寝かせた乳児の双方の肩部と股部との間にベルトが架け渡されて固定されており、また、その肩部からのベルトと股部からのベルトは、乳児の腹部の上で、衝撃を緩和させるパッド部材が設けられた係着具に係着されている。
【０００３】
以上のように乳児は固定されており、車輌が衝突すると、衝突した時点では乳児は後向きで車輌の前進方向に飛び出そうとするが、乳児の身体は、チャイルドシートで保持されて、乳児の車輌の前進方向への飛び出しが阻止される。
しかし、衝突のリバウンドにより車輌の後方向に飛び出そうとする乳児は、ベルトが通過する双方の肩部や胸部、また、股部すなわち双方の大腿部で飛び出そうとする力が受け止められる。これにより、衝撃力が肩部に加わった場合は、肩胛骨の骨折や腕の脱臼等の怪我を負う危険があり、また、衝撃力が双方の大腿部に加わった場合は、大腿部の骨折や脱臼等の怪我を負う危険があるのである。
このように、従来のチャイルドシートでは衝撃力を受け止める部分が身体の一部分に集中してしまうため、まだ骨も弱いこの時期の乳児には適切な固定形態とはいえないのである。
【０００４】
また、肩部からのベルトと股部からのベルトが乳児の腹部の上で一つに係着されていることは、その腹部にも衝撃が少なからず加わることであり、いくらその係着具に衝撃を緩和させるパッド部材が設けられているからとはいっても、結果的に乳児の腹部は係着具で押え付けられ腹部へ損傷を負わせる危険があった。従って、車輌が衝突した際の乳児の飛び出しは阻止できるものの、身体を保持するベルトや係着具で乳児の身体は逆に傷付く危険があった。
骨格が未発達な乳児の望ましい拘束方法としては、広い面で身体を保持すると共にその身体は拘束面に接しさせ、また、強い衝撃は背面で受けるようにするのがよいとされているのである。
【０００５】
また、乳児のチャイルドシートへの装着においては、特に首の座らない乳児を装着する際、親は首や頭を損傷させないようにと無理な姿勢をとっての装着になることが多いのである。
すなわち、背負ったり抱っこしている状態、また、乳母車に乗っている状態の乳児を、首を保護しながら両腕だけで支え持ちさらに着座位置を修正しながらチャイルドシートに乗せるため腕には極めて大きな負担が掛かっているのである。さらには、両腕に加えて腰にも負担が掛かっており、それは、特に座席位置の低い普通の乗用車に乗せる場合、親は中腰の姿勢になって乳児をチャイルドシートに乗せるためギックリ腰の誘発など極めて大きくまた深刻な負担を強いられているのである。
【０００６】
【目的】
本発明は上述した問題点に鑑みてなされたもので、乳児のチャイルドシートへの装着また離脱に際し、乳児への負担と共に親への負担を軽減することができ、さらには、乳児の飛び出しを阻止する力を胴体の特定部分に集中させることがないチャイルドシートを提供することを目的とするものである。
【０００７】
【問題を解決するための手段】
本発明の要旨とするところは、車輌のシート上に載置でき且つ車輌のシートベルトと係着可能なバケットと、バケット内に収容でき且つ乳児を適宜に拘束可能な子守帯とからなるチャイルドシートであって、そのバケットおよび子守帯には、互いに人的操作で着脱可能な係着手段が設けられていることを特徴とするチャイルドシートである。
【０００８】
本発明のチャイルドシートをさらに詳しく説明すると、バケットとは、後述の子守帯を着用した乳児を固定的に収容するための容器体であり、それは適当な素材で形成すればよく、具体的には、成型性に優れる樹脂素材等の可塑性の素材を用いて形成するのがよい。
そのバケットの形状は特に限定されるものではなく、乳児を寝かせた状態で収容可能なゆりかご状にしたり、また、車輌のシートのように適当な角度を以って座った状態で収容可能な形状にしてもよい。いずれの形状の場合も乳児の保持性や快適性を上げるため容器体の脇部等を高くしたり、また、座部と背部の角度を適宜に調整（リクライニング構造）できるようにしてもよい。
そして、バケットが車輌のシートにセットされたとき、収容される乳児の向きが車輌の前進方向に対し後向きにセットできるように構成するのが望ましい。
【０００９】
このバケット内に、後述の子守帯に設けている係着手段と人的操作で着脱可能な係着手段が設けられている。この人的操作で着脱可能とは、人の介入による操作でのみ着脱が可能となり、また、車輌の衝突等による衝撃では簡単に脱離しない構造となっているものである。
その係着手段は、バケットおよび子守帯でオス／メス一対からなる係着手段や嵌め込みによるキャッチ等の係着具がよい。しかして、係着に互換性があるものであれば、オス／メス一対で構成されている以外の係着具であってもよい。
係着方法や係着構造等も特に限定するものではなく適宜の係着手段を用いればよいが、少なくとも車輌の衝突の際に、子守体に拘束された乳児の飛び出しを阻止できるものでなければならない。また、バケットおよび子守帯に設けられる係着手段の設置部位も特に限定するものではなく、子守帯の形態や着用者の体重バランス等を考慮してバケットおよび子守帯の適宜の部位に設置すればよい。
【００１０】
そして、少なくともバケット内に、適宜の素材から形成されたパッド部材を設けて、衝突時の衝撃緩和と共に乳児の快適性を向上させるようにするのがよい。具体的な素材としてはウレタン等の素材が上げられる。
そのバケットは車輌のシートベルトに係着することができ、具体的な係着方法としては、バケットの適宜の部位に車輌のシートベルトと係着可能な引掛部を形成あるいは後付けによって設け、その引掛部に腰部を通過するシートベルトと胸部を通過するシートベルトを適宜に係着すればよい。しかして、この方法に限定されるものではなく、衝突時にバケットがシート上から飛び出すことなく係着可能であればどのような方法また構造を以って係着してもよい。
【００１１】
バケットの大きさ等は、収容する乳児の身長等を考慮して適当な寸法で形成すればよい。また、身長の長短に捕らわれずに使用できるように、バケットの座部または背部あるいはその両部を伸縮調節できるように構成してもよい。
そして、車輌によってはシート座面の寸法が短い場合もあり、その場合は、シート座面上より突出したバケットの座部または背部を支持するための支持手段をバケットに設けてもよい。具体的には、バケットの座部または背部の外側壁部に一端がシート前方の床面に接地し且つバケットを支持可能な強度を有する適宜の形状の脚部材を取り付けられるようにしてもよい。また、脚部材をバケット内に収納できるようにしてもよい。
【００１２】
このバケットも、一つの容器体で構成するものであってもよいが、適当な複数の部材から構成されるものであってもよい。
そして、バケットに車輌のシートの背もたれ部と接触可能な適宜の形状のストッパー部材を設けて、車輌が衝突した時の衝撃によるバケットの姿勢の変化をより確実に阻止できるようにしてもよい。すなわち、ストッパー部材は、バケットが姿勢を変えようとする際、バケットを適性位置に保持しようと踏ん張れるように車輌のシートの背もたれ部と接触可能な形状であればよく、また、そのように踏ん張ることができる位置に設ければよい。
さらに、バケットが適性状態で車輌のシート上に設置できるようバケットに設置の適性角度を表示する角度表示器を設けてもよい。さらには、バケットの車輌外での移動や置く際の脚としても使用可能な手提ハンドルを設けてもよい。
【００１３】
子守帯とは、普通、親が乳児を背負ったりまた胸元に抱っこする際に用いるための用具で、身体背部を支える背当体や背負いまた抱っこ用のベルトを有する。特に本発明に係る子守帯は、車輌衝突時の乳児の飛び出しを阻止するため前述のバケットと共に用いられるもので、バケットの係着手段と係着可能な係着手段を有し、また、乳児が子守帯から飛び出さないように乳児の身体を適宜に拘束可能な拘束手段を有するものである。その拘束手段は乳児の胴体前部のほぼ全体に及ぶものがよい。そして、子守帯は乳児を拘束した状態でバケットへ装着または離脱できるように構成するのがよい。
子守帯は、バケット内に収容でき且つ乳児を適宜に拘束することができるものであればどのようなものでもよく特にその形態等を限定するものではない
【００１４】
子守帯に設けられる係着手段は、前述のバケットでの説明のように、バケットおよび子守帯でオス／メス一対からなる係着手段や嵌め込みによるキャッチ等の係着具がよい。しかして、係着に互換性があるものであれば、オス／メス一対で構成されている以外の係着具であってもよい。
係着方法や係着構造等も特に限定するものではなく適宜の係着手段を用いればよいが、少なくとも車輌の衝突の際に、子守体に拘束された乳児の飛び出しを阻止できるものでなければならない。また、バケットおよび子守帯に設けられる係着手段の設置部位も特に限定するものではなく、子守帯の形態や着用者の体重バランス等を考慮してバケットおよび子守帯の適宜の部位に設置すればよい。具体的には、子守帯の背当体が可塑性の樹脂や金属等の比較的硬い素材から形成されたものであれば背当体の中央に配設してもよいが、背当体が布や薄板等の柔らかい素材から形成されたものであればそれらの素材を支持する支柱等の骨材に配設するのがよい。
【００１５】
子守体の具体的な形態としては、少なくとも乳児の後頭部と胴体背部を支持するための背当体と、その背当体に取り付けられて、少なくとも乳児の胴体前部を保持すなわち乳児を拘束するための帯体とから構成するのがよい。また、子守帯の背負いまたは抱っこベルトを背当体の内部に収納できるようにしてもよい。
背当体とは、前述のように乳児の後頭部と胴体背部を支持するための部材であり、その形態等も特に限定するものではないが、少なくとも乳児の後頭部と胴体背部を支持すなわち親が子守体を用いて乳児を背負ったりまた胸元に抱っこした際に、乳児の後頭部と胴体背部を確実に保持可能な形状や寸法そして強度を持ったものでなくてはならない。
【００１６】
背当体の形態としては、適宜形態の支柱、例えば、着用者の身長方向に伸びる左右一対からなる支柱、あるいは、着用者の脚方向を自由端とするＵ字状の支柱で、適宜の素材から形成された背当体を支持するようにしてもよい。この形態の場合、支柱は背当体の短手方向の両側端部付近に設けるのがよく、また、樹脂や金属素材等の強度を有する素材から形成するのがよい。
他の形態としては、適宜の可塑性の素材を用いて板状に形成してもよく、その板体も単なる板体でもよいが、板体自体を人間工学的に三次元曲線による立体的な形状に形成するようにしてもよい。板体にはクッション性を有する適宜の素材を設けてもよい。
さらには、背当体の適宜の部位、例えば、着用者に接する部位を布等の柔軟性の素材から形成してもよい。この形態の場合は、前述の背当体を着用者の身長方向に伸びる左右一対からなる支柱、あるいは、着用者の脚方向を自由端とするＵ字状の支柱によって支持するものに適する。
【００１７】
また、背当体の頭部の部位に、乳児すなわち着用者の頭部の移動や飛び出しを阻止するための頭部ガードを設けてもよい。
その形態も特に限定するものではなく、頭部の保護に適した形態のものであればどのようなものでもよい。また、頭部ガードは乳児の頭部に近接または接触させるのがよく、その具体的な形態としては、頭部を保持可能な突条や壁状そしておでこ付近まで被さる帽子状等の形態でもよい。さらに、着用者のおでこ付近を横断するように横ベルトを設けてもよい。そして、着用者を比較的起こした形態（略着座の形態）で拘束する場合は、頭部ガードは前述の帽子状がよい。あるいは、横ベルトを設けてもよい。
頭部ガード、また、横ベルトの素材も特に限定するものではないが、頭部の飛び出しが阻止された時、乳児の頭部や顔に損傷を与えない素材を用いて形成するのがよい。衝撃吸収部材を適当な布地やパッドで包み込んで形成してもよい。
【００１８】
帯体とは、前述の背当体に取り付けられて、少なくとも乳児の胴体前部を保持すなわち乳児を拘束するための部材であり、その形態等も特に限定するものではないが、車輌の衝突時に、その衝突によるリバウンドによって車輌の後方向に飛び出そうとする乳児の身体を保持可能な強度を持った素材また構造でなければならない。そして、帯体は乳児の胴体前部のほぼ全体に及ぶものがよく、また、必要であれば帯体の適宜の部位を開閉できるようにしたり、また、身体への装着状態を調節（だぶ付き調節）できるようにしてもよい。
帯体の形態としては、背当体やその背当体を支持する支柱に、乳児すなわち着用者を横断する方向に樹脂や布等の素材からなるシート状やベルト状のものを１枚または適数設けて、それらによって着用者を適宜に拘束してもよい。勿論、パッド部材を設けてもよい。また、帯体の背当体への取り付けは、適宜の固定部材を用いたり、背当体に被せることにより取り付ければよい。
【００１９】
また、帯体を少なくとも前身頃を有する着衣型としてもよい。前身頃は、少なくとも乳児の腰部から両肩部までの胴体前部をすっぽりとカバーできるようにするのがよい。具体的な範囲としては、胸部／腹部／脇部の適宜の部分であるが、前身頃が有する乳児の保持性や装着性そしてデザイン等によっては、胸部／腹部／脇部の全てをカバーしなければならないものではない。また、前身頃で脚部の適当な部分、例えば、脚部の付根付近を保護できるようにしてもよい。
前身頃の素材は、乳児の飛び出しを阻止できる強度を有する素材とすることは勿論のこと、身体に馴染み易い素材で形成するのがよく、具体的には、綿や皮等の自然素材またはナイロンやポリエステル等の化学繊維素材で形成すればよい。さらに、後身頃等も形成してもよく、そして、前身頃にファスナーやベルト等からなる開閉手段を設けてもよい。勿論、パッド部材を設けてもよい。さらには、前述した頭部ガードや頭部ベルトを設けてもよい。
【００２０】
そして、バケットへの子守帯の装着を容易にするため、バケットおよび／または子守帯に位置決め用の案内手段を設けるのがよい。その案内手段の形態も特に限定するものではなく、適宜の方法また構造を用いて行えばよい。
その案内手段の具体的なものとしては、バケットの背もたれ面の下方部に孔または溝を設け、また、子守帯の身体方向の下方部に突起または突条を設けて、子守帯をバケットへ装着する際、子守帯に有する突起または突条をバケットに有する孔または溝に挿入することによって位置決めするようにしてもよい。
他には、バケットの背もたれ面または座面にレールを設け、また、子守帯の後面にレールと係合可能な係合手段を設けて、子守帯をバケットへ装着する際、子守帯に有する係合手段をバケットに有するレールに係合させることによって位置決めするようにしてもよい。
【００２１】
【作用】
本発明のチャイルドシートは以上のように構成されているので、バケットの車輌シートへの装着は、バケットを車輌シートの上に置いて、バケットの引掛部に車輌のシートベルトを引掛けて装着する。
乳児においては、例えば、室内で子守帯に装着され、親がその子守帯に有する抱っこベルトを首に掛けて車輌まで運び、次に子守帯の抱っこベルトを手で持って子守帯をバケット内に置く。
また、バケットと子守帯に位置決め用の案内手段が設けられているものは、子守帯を素早くバケットの適性位置に置くことができる。
【００２２】
そして、バケットの係着手段と子守帯の係着手段とを係着してバケットと子守帯とを固定する。また、抱っこベルトは子守帯に収納あるいは取り外す。これにより、乳児の身体は子守帯により保持され、子守帯はバケットにより保持され、バケットは車輌のシートベルトにより車輌のシート上に保持される。また、乳児は車輌の前進方向に対して後向きに保持される。
そして、乳児を車輌から降ろす際は、子守帯とバケットとの固定を解除し、子守帯から抱っこベルトを取り出しあるいは装着して、その抱っこベルトを持って乳児を子守帯ごとバケットから取り出す。
子守帯は、車輌での外出以外においても乳児をそれに装着することによって普通の子守帯として使用することができる。
【００２３】
前述の状態で車輌が衝突すると、その衝突した時点では乳児は後向きで車輌の前進方向に飛び出そうとするが、乳児の身体は、子守帯の背当体およびバケットの背もたれ面および車輌のシートベルトによって保持され、乳児の車輌の前進方向への飛び出しは阻止される。次に、衝突のリバウンドによって乳児は車輌の後方向に飛び出そうとするが、乳児の身体は、子守帯の拘束手段およびバケットの子守帯との係着手段および車輌のシートベルトによって保持され、乳児の車輌の後方向への飛び出しが阻止される。
このとき、子守帯の拘束手段が乳児の車輌の後方向への飛び出しを最終的に阻止する部位となり、その拘束手段が乳児の胴体前部のほぼ全体に接触してその飛び出しを阻止するように作用するため、胴体前部に掛かる力は乳児の胴体前部のほぼ全体で受け止められる。
そして、着用者が比較的起こされた形態で装着された場合は、帽子状の頭部ガード、また、横ベルトの使用により、衝突のリバウンドによって車輌の後方向に飛び出そうとする頭部はその飛び出しが阻止される。
【００２４】
【実施例】
本発明のチャイルドシートを以下図面に従って説明すると、図１は、本発明に係わるチャイルドシートを示す斜視図であり、１はチャイルドシートで、バケット２および子守帯３から構成される。
２２は車輌に備えるシートベルトを引掛ける引掛具で、シートベルトの腰部を通過するシートベルト１２を引掛ける。２４はバケット２の背もたれ面、２５はバケット２の座面、２６は衝突時にバケット２の姿勢の変化を阻止する変向ストッパー、２７は角度表示器で、バケット２を車輌のシート１１上に適性な角度で設置するためのものである。
３２は子守帯３の背当体で、この上に乳児５が乗せられる。３３は子守帯３の帯体で、背当体３２上に乗せられた乳児５の胴体前部を拘束する。３５は背当体３２上に乗せられた乳児５の頭部を保護する頭部ガードである。
【００２５】
図２は、バケットを示す斜視図であり、図１の子守帯２が取り出されたバケット２の図である。２はバケット、２１は係着具で、子守帯に有する係着具３１と係合する。
図３は、バケットの装着状態を示す側面図であり、車輌のシート１１上に置かれたバケット２は、車輌に備えるシートベルトの腰部を通過するシートベルト１２が引掛部２２に引掛けられ、また、胸部を通過するシートベルト１３が引掛部２３に引掛けられて、そのシートベルトの係着具がバックル１４に係着されることにより、衝突時のバケット２のシート１１上からの飛び出しが阻止される。
また、変向ストッパー２６をシート１１の背もたれ面に接触または当接させるようにバケット２を設置する。
【００２６】
図４は、子守帯を示す斜視図であり、図１のバケット２から取り出した子守帯３の図である。３は子守帯、３２は背当体で、この上に乳児５が乗る。本背当体３２は比較的硬い可塑性の素材から形成している。３３は帯体で、背当体３２上に乗った乳児５の胴体前部を拘束する。本帯体３３は袋状のものであり背当体３２に被している。３４は乳児５の腕を出すための腕開口、３５は背当体３２上に乗った乳児５の頭部を保護する頭部ガードである。
３６は子守帯３を吊下げ保持するための抱っこベルト、３７は抱っこベルト３６の収容部を開閉するためのファスナーである。
図５は、子守帯の背部を示す斜視図であり、３は子守帯、３１は係着具で、バケット２に有する係着具２１と係合する。３８は係着具３１の装脱ボタンである。
【００２７】
図６は、子守帯を乳児に装着した状態の側面図であり、乳児５は背当体３２の上に寝た状態で乗っており、その乳児５の胴体前部は帯体３３によって拘束されている。本帯体３３は袋状のものであって背当体３２に被されている。
乳児５は腕開口３４から腕を出すことができ、また、乳児５の頭部は頭部ガード３５によって保護されている。
３７は抱っこベルト３６の収容部を開閉するためのファスナー、本図では抱っこベルト３６は収納されている。３８は係着具３１の装脱ボタンである。
【００２８】
図７は、他の形態の子守帯を示す斜視図であり、本図の子守帯は、乳児の胴体前部を拘束するための帯体を着衣型にしているものである。
３は子守帯、３２は背当体で、この上に乳児５が乗る。３６は子守帯３を吊下げ保持するための抱っこベルト、３７は抱っこベルト３６の収容部を開閉するためのファスナーである。
４は帯体となる前身頃で、背当体３２上に乗った乳児５の胴体前部を拘束する。本帯体は適宜に背当体３２に固定されている。４１は乳児５の腕を出すための腕開口、４２は背当体３２上に乗った乳児５の頭部を保護する頭部ガードである。４３は横ベルトで、着用者が比較的起こされた形態で装着された場合に、衝突のリバウンドによって車輌の後方向に飛び出そうとする頭部の飛び出しを阻止する。４４は前身頃４を開閉するためのファスナーである。
【００２９】
図８は、他の形態の子守帯を示す斜視図であり、本図の子守帯は、乳児が乗る背当体を布等の柔軟性の素材から形成しているものである。
３ａは子守帯、３０は背当体３２ａを支持する子守帯３ａの骨組みとなる支柱、３２ａは布等の柔軟性の素材から形成されている背当体で、この上に乳児５が乗る。３３は帯体で、背当体３２ａ上に乗った乳児５の胴体前部を拘束する。本帯体３３は袋状のものであり背当体３２ａに被している。３４は乳児５の腕を出すための腕開口、３５ａは背当体３２上に乗った乳児５の頭部を保護する頭部ガードで、本頭部ガード３５ａは乳児５のおでこまで被さる帽子状のものである。３６は子守帯３を吊下げ保持するための抱っこベルト、３７は抱っこベルト３６の収容部を開閉するためのファスナーである。
【００３０】
図９は、図８の子守帯の係着に適用するバケットを示す斜視図であり、２ａはバケット、２１ａは子守帯３ａの係着具と係合する係着具、２２は車輌に備えるシートベルトを引掛ける引掛具で、シートベルトの腰部を通過するシートベルト１２を引掛ける。２４はバケット２ａの背もたれ面、２５はバケット２ａの座面、２６は衝突時にバケット２ａの姿勢の変化を阻止する変向ストッパー、２７は角度表示器で、バケット２ａを車輌のシート１１上に適性な角度で設置するためのものである。２８は案内孔で、子守帯３ａの支柱３０の端部が挿入される。
【００３１】
図１０は、案内手段を有するバケットを示す斜視図であり、２ｂはバケットで、基本的には図２のバケット２に案内孔２８を設けたものである。
図１１は、案内手段を有する子守帯を示す斜視図であり、３ｂは子守帯で、基本的には図４の子守帯３に案内突起３９を形成したものである。
子守帯３ｂをバケット２ｂにセットする際は、バケット２ｂの案内孔２８に子守帯３ｂの案内突起３９を挿入すると共に背もたれ面２４の方向に倒し、子守帯３ｂの係着具３１（図示なし）とバケット２ｂの係着具２１とを係合させる。
【００３２】
【効果】
本発明のチャイルドシートは以上のように構成されているので、乳児を車輌に乗車させる際、乳児は室内等の場所で子守帯に装着されて車輌まで運ばれ、車輌のシートにセットされたチャイルドシート本体となるバケットに子守帯ごと固定することができ、また、乳児を車輌から降ろす際も、子守帯とバケットとの係着を解除することによって子守帯ごと車輌から降ろすことができる。
従って、乳児のチャイルドシート本体となるバケットへの装着また離脱を容易に且つ素早く行うことができる。特に、緊急時の乳児の取り出しにおいては、バケットあるいは子守帯ごと取り出せるため、その取り出しの際、乳児の首に二次的な損傷を加えることなく安全に且つ素早く取り出すことができる。
【００３３】
すなわち、乳児の首を保護しながら、また、乳児の着座位置を修正しながらチャイルドシートへ装着する従来の装着形態とは違って、乳児は子守帯によって首は保護され、また、親においても子守帯を以って乳児のチャイルドシートへの装脱着が行えるので腰への負担は大幅に軽減される。
本チャイルドシートを用いることで、乳児の装着ミスによる二次的事故の発生をも防止することができる。
さらに、子守帯は車輌で外出する以外にも乳児を子守帯に装着することによって普通の子守帯として使用することもできる。
【００３４】
そして、子守帯による乳児の拘束状態が乳児の胴体のほぼ全体に接触して乳児の飛び出しを阻止するため、胴体前部に掛かる力はその胴体前部のほぼ全体で受け止めることができる。すなわち、乳児の飛び出しを阻止するための力が胴体の一部分に集中することがなく、胴体前部の全体に分散させることができる。
また、着用者を比較的起こした形態で装着する場合は、帽子状の頭部ガード、また、横ベルトの使用により、衝突のリバウンドによって車輌の後方向に飛び出そうとする頭部を確実に保持することができ、首や脊髄への損傷をも防止することができる。
【図面の簡単な説明】
【図１】本発明に係わるチャイルドシートを示す斜視図
【図２】バケットを示す斜視図
【図３】バケットの装着状態を示す側面図
【図４】子守帯を示す斜視図
【図５】子守帯の背部を示す斜視図
【図６】子守帯を乳児に装着した状態の側面図
【図７】他の形態の子守帯を示す斜視図
【図８】他の形態の子守帯を示す斜視図
【図９】図８の子守帯の係着に適用するバケットを示す斜視図
【図１０】案内手段を有するバケットを示す斜視図
【図１１】案内手段を有する子守帯を示す斜視図
【符号の説明】
１−チャイルドシート，１１−シート，１２／１３−シートベルト，１４−バックル，２／２ａ／２ｂ−バケット，２１／２１ａ−係着具，２２／２３−引掛具，２４−背もたれ面，２５−座面，２６−変向ストッパー，２７−角度表示器，２８−案内孔，３／３ａ／３ｂ−子守帯，３０−支柱，３１−係着具，３２／３２ａ−背当体，３３−帯体，３４−腕開口，３５／３５ａ−頭部ガード，３６−抱っこベルト，３７−ファスナー，３８−装脱ボタン，３９−案内突起，４−前身頃，４１−腕開口，４２−頭部ガード，４３−横ベルト，４４−ファスナー，５−乳児
【図１】
2004082764.tif 000003
【図２】
2004082764.tif 000004
【図３】
2004082764.tif 000005
【図４】
2004082764.tif 000006
【図５】
2004082764.tif 000007
【図６】
2004082764.tif 000008
【図７】
2004082764.tif 000009
【図８】
2004082764.tif 000010
【図９】
2004082764.tif 000011
【図１０】
2004082764.tif 000012
【図１１】
2004082764.tif 000013